(57)【要約】      （修正有）【課題】夏の暑さやヒートアイランド現象の緩和のため、保水性能をもったシートを提供する。【解決手段】保水性シートは、最下層に防水性のある下層シート１、中間層２に保水性のある素材、上層３には中間層保水性素材を固定し得る、水分が十分に蒸発し得る、かつ種子が発芽可能な程度の適度な穴がある素材を用いて三層構造として形成する。さらに、強度のあるロープやワイヤーの周囲に保水性素材、その周囲を適度な穴があるシートで包んで保水性ロープとしても良い。【選択図】図１
0003177993.tif 000002
【実用新案登録請求の範囲】
【請求項１】
保水性シートは、最下層に防水性のある下層シート、中間層に保水性のある素材、上層には中間層保水性素材を固定し得る、水分が十分に蒸発し得る、かつ種子が発芽可能な程度の適度な穴がある上層シートの三層構造を基本構造とする。下層シートの素材は、オーニング、サンシェード、スクリーン、タテス、すだれ、自動車カバー等に利用することを前提に、合成樹脂など、防水性と強度があるものとするが、特に防水性が求められない環境では防水性でなくてもよい。中間層保水性素材は、保水性が高いものであって、例えばスポンジ状のもの、吸水性ポリマーを含んだもの、マイクロファイバー等である。上層シートの素材は、中間層保水性素材を固定し得る、水分が十分に蒸発し得る、かつ種子が発芽可能な程度の適度な穴があるもの、例えばメッシュ状の繊維や網状になっているものである。これらの構造を基本とした保水性シート、およびこれを利用したオーニング、サンシェード、スクリーン、タテス、自動車カバー等である。
【請求項２】
保水性ロープは、強度のあるロープやワイヤー等の周囲に保水性素材、その周囲を上記の上層シートと同じように保水性素材を固定し得る、水分が十分に蒸発し得る、かつ種子が発芽可能な程度の適度な穴があるもの、例えばメッシュ状の繊維や網状になっているものであるシートで包んだ構造とする。これらの構造を基本とした保水性ロープ、およびこれを利用したすだれ等である。
【考案の詳細な説明】
【技術分野】
【０００１】  本考案は、夏の暑さやヒートアイランド現象の緩和のため、保水性能をもったシート、ロープを考案し、これを建築物等のオーニング、サンシェード、スクリーン、タテス、すだれ、自動車カバー等に加工応用し、または屋根や壁面に施工する等に応用することで、水の蒸発熱を利用して夏の暑さやヒートアイランド現象を緩和する効果を発揮して、省エネルギーに貢献することを可能とする。さらにこれに肥料や種子をあとから散布したり、あらかじめ混入することにより、様々な緑化植物の栽培に利用することを可能とし、ロープはつる性植物の栽培に利用可能とする、保水性シート、保水性ロープに関するものである。
【背景技術】
【０００２】  保水性をもったオーニング、サンシェード、スクリーン、タテス、すだれ、自動車カバー等は実用化されていない。保水性コンクリートブロック等は実用化しているようだが、本考案とは想定する使用目的、使用場所、材質、方法等が異なっている。保水性ロープは実用化されていない。
【先行技術文献】
【特許文献】
【０００３】
【非特許文献】
【考案の概要】
【考案が解決しようとする課題】
【０００４】  夏の暑さやヒートアイランド現象の緩和のため、保水性能をもったシート、ロープを考案し、これを建築物等のオーニング、サンシェード、スクリーン、タテス、すだれ、自動車カバー等に加工応用し、または屋根や壁面に施工する等に応用することで、水の蒸発熱を利用して夏の暑さやヒートアイランド現象を緩和する効果を発揮して、省エネルギーに貢献することを可能とする。さらにこれに肥料や種子をあとから散布したり、あらかじめ混入することにより、様々な緑化植物の栽培に利用することを可能とし、ロープはつる性植物の栽培に利用可能とする。
【課題を解決するための手段】  本考案の保水性シートは、最下層に防水性のある下層シート、中間層に保水性のある素材、上層には中間部保水性素材を固定し得る、水分が十分に蒸発し得る、かつ種子が発芽可能な程度の適度な穴がある上層シートの三層構造を基本構造とする。下層シートの素材は、オーニング、サンシェード、スクリーン、タテス、すだれ、自動車カバー等に利用することを前提に、合成樹脂など、防水性と強度があるものとするが、特に防水性が求められない環境では防水性でなくてもよい。中間層保水性素材は、保水性が高いものであって、例えばスポンジ状のもの、吸水性ポリマーを含んだもの、マイクロファイバー等である。上層シートの素材は、中間層保水性素材を固定し得る、水分が十分に蒸発し得る、かつ種子が発芽可能な程度の適度な穴があるもの、例えばメッシュ状の繊維や網状になっているものである。屋根や壁面に施工するものであれば、必要な強度を持たせるため、下層シートや上層シートに強度のあるものを使用するか、上記の３層構造をさらにネット状のものなどで挟み込むことで強度を持たせることが可能となる。
保水性ロープは、強度のあるロープやワイヤー等の周囲に保水性素材、その周囲を上記の上層シートと同じシートで包んだ構造とする。
【考案の効果】  保水性をもったオーニング、サンシェード、スクリーン、タテス、すだれ、自動車カバー等は実用化されていないため、本考案により実用化が可能となる。適宜打ち水などで水分供給することにより、水の蒸発熱を利用して夏の暑さやヒートアイランド現象を緩和する効果を発揮して、省エネルギーに貢献することを可能とする。屋根や壁面に保水性をもったシートを施工することにより、水の蒸発熱を利用して夏の暑さやヒートアイランド現象を緩和する効果を発揮して、低コストに省エネルギーに貢献することを可能とする。屋上などから水分供給が可能な環境であれば、適宜水分補給することで、さらに効果的である。さらにこれに肥料や種子をあとから散布したり、あらかじめ混入することにより、様々な緑化植物の栽培に利用することを可能とする。
保水性ロープは実用化されていないため、本考案により実用化が可能となる。細く加工したものは、すだれ等に加工が可能とする。太く加工したものは、つる性植物の栽培に利用可能とする。これを縦に数本並べ、横にロープや紐状のもので連結すれば、強度がある構造になる。逆に保水性ロープを横の最下部に配置し、縦にロープや紐を連結してもよい。保水性ロープ部分に肥料とつる性植物の種子を置けば、誰でも簡単に緑のカーテン作りを楽しむことを可能とする。
【図面の簡単な説明】
【図１】保水性シートの断面図
【図２】保水性ロープの断面図
【考案を実施するための形態】
保水性シートは、最下層に防水性のある下層シート、中間層に保水性のある素材、上層には中間層保水性素材を固定し得る、水分が十分に蒸発し得る、かつ種子が発芽可能な程度の適度な穴がある上層シートの三層構造を基本構造とする。下層シートの素材は、オーニング、サンシェード、スクリーン、タテス、すだれ、自動車カバー等に利用することを前提に、合成樹脂など、防水性と強度があるものとするが、特に防水性が求められない環境では防水性でなくてもよい。中間層保水性素材は、保水性が高いものであって、例えばスポンジ状のもの、吸水性ポリマーを含んだもの、マイクロファイバー等である。上層シートの素材は、中間層保水性素材を固定し得る、水分が十分に蒸発し得る、かつ種子が発芽可能な程度の適度な穴があるもの、例えばメッシュ状の繊維や網状になっているものである。屋根や壁面に施工するものであれば、必要な強度を持たせるため、下層シートや上層シートに強度のあるものを使用するか、上記の３層構造をさらにネット状のものなどで挟み込むことで強度を持たせることが可能となる。
保水性ロープは、強度のあるロープやワイヤー等の周囲に保水性素材、その周囲を上記の上部層シートと同じシートで包んだ構造とする。
【実施例】
【産業上の利用可能性】  建築物等のオーニング、サンシェード、スクリーン、タテス、すだれ、自動車カバー等に加工応用し、または屋根や壁面に施工する等に応用することで、水の蒸発熱を利用して夏の暑さやヒートアイランド現象を緩和する効果を発揮して、省エネルギーに貢献することを可能とする。さらにこれに肥料や種子をあとから散布したり、あらかじめ混入することにより、様々な緑化植物の栽培に利用することを可能とする。ロープは細く加工したものは、すだれ等に加工が可能とする。太く加工したものは、つる性植物の栽培に利用可能とする。
【符号の説明】１  保水性シート下層シート
２  保水性シート中間層素材
３  保水性シート上層シート
４  保水性ロープ中心ロープ・ワイヤー等
５  保水性ロープ中間層素材
６  保水性ロープ上層シート
【図１】
0003177993.tif 000003
【図２】
0003177993.tif 000004
【手続補正書】
【提出日】平成24年6月8日(2012.6.8)
【手続補正１】
【補正対象書類名】実用新案登録請求の範囲
【補正対象項目名】全文
【補正方法】変更
【補正の内容】
【実用新案登録請求の範囲】
【請求項１】
保水性シートは、
（１）最下層の下層シートは、オーニング、サンシェード、スクリーン、タテス、すだれ、自動車カバーの素材に利用することを前提に、合成樹脂など、強度がある素材、
（２）中間層の中間層保水性素材は、保水性が高い素材であって、スポンジ状のもの、マイクロファイバー、吸水性ポリマーを含んだもの等の素材、
（３）上層の上層シートは、中間層保水性素材を固定し得る、水分が十分に蒸発し得る、かつ種子が発芽可能な程度の適度な穴がある素材であって、メッシュ状の繊維や網状になっている素材、
以上の基本構造からなる保水性シート。
【請求項２】
保水性ロープは、
（１）強度のあるロープやワイヤー等の中心素材、
（２）中心素材の周囲を包む中間層の中間層保水性素材は、保水性が高い素材であって、スポンジ状のもの、マイクロファイバー、吸水性ポリマーを含んだもの等の素材、
（３）中間層保水性素材の周囲を包む上層の上層シートは、中間層保水性素材を固定し得る、水分が十分に蒸発し得る、かつ種子が発芽可能な程度の適度な穴がある素材であって、メッシュ状の繊維や網状になっている素材、
以上の基本構造からなる保水性ロープ。